(57)【要約】【課題】デンタル用機器の導入に付随する事務手続および保守点検に必要な負担を軽減できるデンタル用機器のレンタル方法およびレンタルシステムを提供する。【解決手段】サーバ装置がデンタル用機器導入端末から取得したデンタル用機器のレンタルを希望する歯科医師に関する情報に基づきレンタル希望受け入れ可能であるか認証を行い、レンタル希望受け入れ可能であると認証された場合に、デンタル用機器導入端末から取得したレンタル希望に係るデンタル用機器の在庫を確認し、レンタル希望に係るデンタル用機器の在庫が確認された場合に、レンタルの承認を求める情報をレンタル端末に送信し、レンタル端末からレンタル承認情報を取得したときに納入者端末にデンタル用機器の納入を指示する情報を送信し、納入者端末から取得した納入完了したとの情報に基づいてデンタル用機器のレンタル情報を記録するデンタル用機器のレンタル方法。【選択図】図５
2007115064.tif 000002
【特許請求の範囲】
【請求項１】
デンタル用機器のレンタルを希望する者の側に配置されるデンタル用機器導入端末と、デンタル用機器を納入する者の側に配置されている納入者端末と、レンタルを事業として行うレンタル会社に配置されるレンタル端末とが、ネットワークを介して、デンタル用機器のレンタルを手配する者の側に配置されるサーバ装置と双方向通信可能に接続されて実施されるデンタル用機器のレンタル方法であって、
前記サーバ装置が、前記デンタル用機器導入端末から取得した、デンタル用機器のレンタルを希望する歯科医師に関する情報に基づき、レンタル希望受け入れ可能であるか認証を行うステップと、
レンタル希望受け入れ可能であると認証された場合に、前記サーバ装置が前記デンタル用機器導入端末から取得したレンタル希望に係るデンタル用機器の在庫を確認するステップと、
レンタル希望に係るデンタル用機器の在庫が確認された場合に、レンタルの承認を求める情報を前記レンタル端末に送信するステップと、
前記サーバ装置が、前記レンタル端末からレンタル承認情報を取得したときに、前記納入者端末にデンタル用機器の納入を指示する情報を送信するステップと、
前記サーバ装置が、前記納入者端末から取得した、レンタル希望に係るデンタル用機器を納入完了したとの情報に基づいて、デンタル用機器のレンタル情報を記録するステップと
を備えていることを特徴とするデンタル用機器のレンタル方法。
【請求項２】
デンタル用機器のレンタルを希望する者の側に配置されるデンタル用機器導入端末と、デンタル用機器を納入する者の側に配置されている納入者端末と、レンタルを事業として行うレンタル会社に配置されるレンタル端末とが、ネットワークを介して、デンタル用機器のレンタルを手配する者の側に配置されるサーバ装置と双方向通信可能に接続されてなるデンタル用機器のレンタルシステムであって、
前記サーバ装置は、
前記デンタル用機器導入端末から取得した、デンタル用機器のレンタルを希望する歯科医師に関する情報に基づき、レンタル希望受け入れ可能であるかを認証する与信処理部と、
前記デンタル用機器導入端末から取得した、レンタル希望に係るデンタル用機器の在庫を確認するデンタル用機器在庫確認処理手段と、
レンタル希望に係るデンタル用機器の在庫が確認された場合に、レンタルの承認を求める情報を前記レンタル端末に送信するレンタル承認処理手段と、
前記レンタル端末からレンタル承認情報を取得したときに、前記納入者端末にデンタル用機器の納入を指示する情報を送信するレンタル処理手段と、
前記納入者端末からレンタル希望に係るデンタル用機器を納入完了したとの情報を取得したときに、デンタル用機器のレンタル情報を記録するレンタル情報管理手段と
を備えてなるデンタル用機器のレンタルシステム。
【発明の詳細な説明】
【技術分野】
【０００１】
この発明は、歯科医院・診療所などで使用される歯科機器（歯科用具を含む）（本明細書・特許請求の範囲・図面において「デンタル用機器」あるいは「デンタル機器」と表す）を歯科医院・診療所、その他の医療機関に提供するレンタル方法およびレンタルシステムに関する。
【背景技術】
【０００２】
従来、歯科医院等の医療機関で使用する各種のデンタル用機器は、現金での購入か、リースクレジットの利用によって導入されている。そして、このようにして歯科医院などに導入されたデンタル用機器のついては、薬事法上、その適切な使用を確保するため、デンタル用機器の製造業者、輸入販売業者等が提供する情報を活用し、デンタル用機器の保守点検を適切に実施することが求められている。
【発明の開示】
【発明が解決しようとする課題】
【０００３】
歯科医院等の医療機関におけるデンタル用機器は、上記のような形態で導入され、そして、その適切な保守点検も求められていたので、種々の問題点があった。
【０００４】
先ず第一に、導入の際の手続の煩雑さがあった。リースクレジットの与信の問題は言うに及ばず、デンタル用機器の在庫の有無の確認、納期の確認等、本来の医療行為以外の多大な事務手続を必要とされていた。また、医療機関とデンタル用機器の製造業者等の間に介在する販売員、販売代理店、輸入業者等も、在庫の確認、納期の確認、支払い形態の確認等、その事務量が膨大かつ煩雑であった。
【０００５】
第二に、歯科医院等の医療機関は保守点検を適切に行わなければならないために、導入したデンタル用機器に関する情報を常に収集し、周知に努める必要がある。この点においても、特に、個人のように少人数で開業していることが多い歯科医院にとっては、本来の医療行為以外の負担が大きいという問題があった。一方、販売員、販売代理店、輸入業者等は、デンタル用機器を納入した医療機関個々に対して、納入したデンタル用機器に関する情報を提供しなければならず、この事務量も膨大であった。
【０００６】
この発明は、上記のような問題点に鑑みてなされたもので、デンタル用機器の導入に付随する事務手続および保守点検に必要な負担を軽減できるデンタル用機器のレンタル方法およびレンタルシステムを提供することを目的としている。
【課題を解決するための手段】
【０００７】
上記の目的を達成するこの発明のデンタル用機器のレンタル方法は、デンタル用機器のレンタルを希望する者の側に配置されるデンタル用機器導入端末と、デンタル用機器を納入する者の側に配置されている納入者端末と、レンタルを事業として行うレンタル会社に配置されるレンタル端末とが、ネットワークを介して、デンタル用機器のレンタルを手配する者の側に配置されるサーバ装置と双方向通信可能に接続されて実施されるものである。
【０００８】
そして、前記サーバ装置が、前記デンタル用機器導入端末から取得した、デンタル用機器のレンタルを希望する歯科医師に関する情報に基づき、レンタル希望受け入れ可能であるか認証を行うステップと、レンタル希望受け入れ可能であると認証された場合に、前記サーバ装置が前記デンタル用機器導入端末から取得したレンタル希望に係るデンタル用機器の在庫を確認するステップと、レンタル希望に係るデンタル用機器の在庫が確認された場合に、レンタルの承認を求める情報を前記レンタル端末に送信するステップと、前記サーバ装置が、前記レンタル端末からレンタル承認情報を取得したときに、前記納入者端末にデンタル用機器の納入を指示する情報を送信するステップと、前記サーバ装置が、前記納入者端末から取得した、レンタル希望に係るデンタル用機器を納入完了したとの情報に基づいて、デンタル用機器のレンタル情報を記録するステップとを備えていることを特徴とするものである。
【０００９】
また、上記の目的を達成するこの発明のデンタル用機器のレンタルシステムは、デンタル用機器のレンタルを希望する者の側に配置されるデンタル用機器導入端末と、デンタル用機器を納入する者の側に配置されている納入者端末と、レンタルを事業として行うレンタル会社に配置されるレンタル端末とが、ネットワークを介して、デンタル用機器のレンタルを手配する者の側に配置されるサーバ装置と双方向通信可能に接続されてなるものである。
【００１０】
そして、前記サーバ装置は、前記デンタル用機器導入端末から取得した、デンタル用機器のレンタルを希望する歯科医師に関する情報に基づき、レンタル希望受け入れ可能であるかを認証する与信処理部と、前記デンタル用機器導入端末から取得した、レンタル希望に係るデンタル用機器の在庫を確認するデンタル用機器在庫確認処理手段と、レンタル希望に係るデンタル用機器の在庫が確認された場合に、レンタルの承認を求める情報を前記レンタル端末に送信するレンタル承認処理手段と、前記レンタル端末からレンタル承認情報を取得したときに、前記納入者端末にデンタル用機器の納入を指示する情報を送信するレンタル処理手段と、前記納入者端末からレンタル希望に係るデンタル用機器を納入完了したとの情報を取得したときに、デンタル用機器のレンタル情報を記録するレンタル情報管理手段とを備えているものである。
【００１１】
本発明のデンタル用機器のレンタルシステムにおける前述したサーバ装置は、パーソナルコンピュータや、専用機などのコンピュータからなり、このコンピュータのＣＰＵからなる処理動作部が、コンピュータプログラムの指示の下、前述した与信処理部、デンタル用機器在庫確認処理手段、レンタル承認処理手段、レンタル処理手段、レンタル情報管理手段としての各処理動作を実行するものである。
【００１２】
そして、かかる機能を備えたサーバ装置が、パーソナルコンピュータや、専用機などのコンピュータや、インターネットなどの有線、又は無線のネットワークを介してサーバ装置と双方向通信可能に接続可能な携帯型情報通信端末などからなる前述したデンタル用機器導入端末、納入者端末、レンタル端末と、インターネットなどの有線、又は無線のネットワークを介して双方向通信可能に接続され、前記サーバ装置が、前述した与信処理部、デンタル用機器在庫確認処理手段、レンタル承認処理手段、レンタル処理手段、レンタル情報管理手段としての各処理動作を実行することにより、本発明のデンタル用機器のレンタル方法が実行されるものである。
【発明の効果】
【００１３】
この発明のデンタル用機器のレンタル方法およびレンタルシステムによれば、デンタル用機器の導入に付随する事務手続および保守点検に必要な負担を軽減できる。
【００１４】
すなわち、この発明のデンタル用機器のレンタル方法およびレンタルシステムによれば、デンタル用機器の在庫や納期の確認、納入の指示等を自動的に行うことができるので、事務の煩雑さをなくすることができる。
【００１５】
また、レンタルされたデンタル用機器の内容、デンタル用機器をレンタルしている歯科医院などの医療機関を個別に記録できるので、保守点検にも容易に対応が可能で、この点でも事務の煩雑さをなくし、しかも、歯科医院などの医療機関におけるデンタル用機器の保守点検を常に適正に行うことができる。
【００１６】
更に、デンタル用機器を、登録された歯科医師を条件としてレンタルの形態で導入できるので、リースクレジットを利用する場合の与信の問題もなくすることができ、事務量の一層の軽減を図ることができる。
【発明を実施するための最良の形態】
【００１７】
以下、この発明の実施の形態を添付の図を参照して説明する。
【００１８】
図１は本発明のデンタル用機器のレンタルシステム１の概略構成を説明する図である。図１において、２がインターネットなどのネットワークであり、サーバ装置３、デンタル用機器導入端末４、納入者端末５、レンタル端末６がインターネットなどの有線、又は無線のネットワーク２に接続されてレンタルシステムが構成されている。
【００１９】
サーバ装置３、機器導入端末４、納入者端末５、レンタル端末６などは、以下に詳述する本発明のデンタル用機器のレンタル方法を、インターネット等のネットワークを介して相互に交信可能に接続されるパーソナルコンピュータ等のコンピュータによって実施させるための種々の処理動作を当該コンピュータに実施させるコンピュータプログラムの指示の下に、本発明のデンタル用機器のレンタル方法を実行するための所定の処理動作を行うコンピュータや、専用機などからなる。
【００２０】
サーバ装置２は、このレンタルシステム１を運営、管理する会社、団体等に設置されるパーソナルコンピュータやワークステーションなどのサーバシステムからなり、歯科医師データベース（ＤＢ）７、機器データベース（ＤＢ）８、レンタルデータベース（ＤＢ）９などを備えている。これらのデータベースの記録を参照しながら前記機器導入端末４、納入者端末５、レンタル端末６とネットワーク２を介して情報の送受信を行う。
【００２１】
デンタル用機器導入端末４は、このレンタルシステム１を運営、管理する会社、団体等の営業担当者や営業代理店の社員が操作する端末であって、パーソナルコンピュータなどが用いられる。前記サーバ装置３とネットワーク２を介して電子メールの送受信を行う機能やＷｅｂページの閲覧を行うブラウザなどが備えられている。このデンタル用機器導入端末４は、図１においては一つ示されているが、複数存在し、各営業担当者等が１台携帯して歯科医院その他の医療機関を訪問し、歯科医師の前で操作するように得きる。また、歯科医師の所有に係るパーソナルコンピュータをこのデンタル用機器導入端末４とすることもできる。
【００２２】
更に、このデンタル用機器導入端末４には、インターネットなどの有線、又は無線のネットワーク２を介してサーバ装置３と双方向通信可能に接続可能なであって、本発明のデンタル用機器のレンタル方法を実行するための所定の情報の交信をサーバ装置３との間で行えるものであれば、種々の携帯型情報通信端末を用いることができる。
【００２３】
納入者端末５は、本発明のデンタル用機器のレンタルシステム１を利用して、デンタル用機器を歯科医師、歯科医院・診療所などにレンタルすることを希望する、デンタル用機器の製造者（販売代理店なども含む）、又は、輸入業者（輸入販売代理店なども含む）などである納入者の所に備えられていて、そこの社員などによって操作される端末である。デンタル用機器導入端末４と同様に、パーソナルコンピュータなどが用いられる。この納入者端末５も複数存在し、各納入者に備えられている。
【００２４】
レンタル端末６は、レンタルを事業として行うレンタル会社、例えば、本発明のデンタル用機器のレンタルシステム１を承認しているレンタル業者に備えられていて、そこの社員などによって操作される端末である。これも機器導入端末４と同様にパーソナルコンピュータなどが用いられる。そして、このレンタル端末６もレンタル業者毎に複数存在することができる。
【００２５】
サーバ装置３に備えられている歯科医師データベース７は、歯科医師国家資格を有している歯科医師に関する情報が記録されているデータベースである。図２は、歯科医師データベース７に記録されているデータの一例を示している。図２の例では、歯科医師の登録番号、氏名、住所、支払方法等が記録されている。
【００２６】
サーバ装置３がデンタル用機器導入端末４から送信された、デンタル用機器のレンタルを希望する歯科医師を特定する歯科医師情報、例えば、歯科医師登録番号や、氏名などを受信すると、サーバ装置３におけるコンピュータの処理動作部からなる与信処理部が、コンピュータプログラムの指示の下に、歯科医師データベース７に記録されている情報と照合し、レンタルの適格者か否かの判断を行う。これによって、きわめて簡単に、かつ、確実に、デンタル用機器をレンタルするにあたっての与信を行うことができる。
【００２７】
また、サーバ装置３に備えられている機器データベース８は、このレンタルシステム１でレンタルすることが予定されているデンタル用機器に関する情報が記録されているデータベースである。図３はこの機器データベース８に記録されている情報の一例を示している。図示の例では、レンタルされるデンタル用機器の機器ＩＤ、名称、メーカーＩＤ、在庫状況、レンタル費用等が記録されている。また、在庫がない場合には、在庫が確保される予定日が機器データベース８に記録される。
【００２８】
これらの情報は、デンタル用機器の製造業者、輸入販売代理店等の納入者端末５からネットワーク２を介してサーバ装置３に常時提供される。サーバ装置３が納入者端末５から送信されたこれらの情報を取得すると、サーバ装置３におけるコンピュータの処理動作部からなるレンタル可能機器情報管理処理部が、コンピュータプログラムの指示の下に、これらの情報を機器データベース８に記録し、管理する。
【００２９】
サーバ装置３に備えられているレンタルデータベース９は、本発明のレンタルシステム１で実際にレンタルされたデンタル用機器の情報が記録されているデータベースである。図４はこのレンタルデータベース９に記録されているデータの一例を示している。レンタル先である歯科医師登録番号、レンタルしているデンタル用機器を特定する情報、たとえば、機器ＩＤ、レンタルしている数、納入日、点検日、次回点検日、保守情報、等が記録される。
【００３０】
サーバ装置３がネットワーク２を介して納入者端末５に送信したデンタル用機器の納入指示に従って、製造業者等が歯科医院等の医療機関にデンタル用機器を納入した際に、納入者端末５からネットワーク２を介してサーバ装置３に納入情報が送信され、その情報に基づいて、サーバ装置３におけるコンピュータの処理動作部からなるレンタル管理処理部が、コンピュータプログラムの指示の下に、レンタルデータベース９に情報を記録し、管理する。また、デンタル用機器導入端末４、納入者端末５から、点検や、保守に関する情報をネットワーク２を介して取得した場合にも、前記のレンタル管理処理部によって、所定の情報が、レンタルデータベース９に記録される。
【００３１】
図５は、上記のように構成された本発明のデンタル用機器のレンタルシステム１の処理手順の一例を示したフローチャートである。以下、図５のフローチャートに従ってこのレンタルシステム１の処理手順について説明する。
【００３２】
歯科医院、その他の医療機関を訪問した営業担当者などが、当該歯科医院などの歯科医師からデンタル用機器についてのレンタルの依頼、申し込みを受けたときには、与信処理を行うために必要な当該レンタルを希望する歯科医師を支持別する情報、例えば、当該歯科医師の登録番号などを聴き取り、デンタル用機器導入端末４に、その情報を入力し、ネットワーク２を介してサーバ装置３に送る（ステップ１）。
【００３３】
前記の情報を取得したサーバ装置３では、与信処理部が、歯科医師データベース７に記録されている情報と照合し、レンタルの適格者か否かの判断を行う。そして、歯科医師としての登録の有無を判断し、登録がない場合にはその旨をネットワーク２を介してデンタル用機器導入端末４へ送信し（ステップ２）、処理を終了する。一方、合致する登録がある場合には、ネットワーク２を介して、デンタル用機器導入端末４へ、当該歯科医師がレンタルを希望しているデンタル用機器を特定する情報を送信するように要求する（ステップ３）。
【００３４】
そこで、レンタルを希望している歯科医師のところにいる営業担当者などが、歯科医師がレンタルを希望するデンタル用機器に関する情報を聞き出して、これを（例えば、デンタル用機器を特定するＩＤ番号を）、デンタル用機器導入端末４から、ネットワーク２を介してサーバ装置３に送信する（ステップ４）。
【００３５】
前記の歯科医師がレンタルを希望するデンタル用機器を特定する情報をネットワーク２を介して取得したサーバ装置３では、コンピュータの処理動作部からなる在庫確認処理部が、コンピュータプログラムの指示の下に、機器データベース８を参照して、前記の歯科医師がレンタルを希望するデンタル用機器についての在庫の有無を確認する（ステップ５）。
【００３６】
サーバ装置３における在庫確認処理部の処理動作の結果、当該デンタル用機器の在庫が現在ない場合には、その旨を、納入可能の時期等に関する情報と共に、ネットワーク２を介してデンタル用機器導入端末４へ送信して（ステップ６）、処理を終了する。
【００３７】
なお、この場合、在庫確認処理部は、更に、納入可能の時期になった時点で納入を手配するような処理を行うようにしても良い。
【００３８】
サーバ装置３における在庫確認処理部が機器データベース８を参照した結果、在庫があることを確認できた場合には、サーバ装置３は、レンタル業者において課金処理などを行うために必要な情報など、デンタル用機器のレンタルを行うにあたってレンタル業者が必要とする情報の入力をネットワーク２を介してデンタル用機器導入端末４側に求め、これらの情報を入手する。
【００３９】
そして、サーバ装置３におけるコンピュータの処理動作部からなるレンタル承認処理部が、コンピュータプログラムの指示の下に、ネットワーク２を介してレンタル端末６へレンタルの承認を求める情報を送信する（ステップ７）。
【００４０】
レンタルの承認を求められたレンタル業者側のレンタル端末６は、受信した情報に含まれている、課金処理など、デンタル用機器のレンタルを行うにあたって必要な情報を記録し、レンタル可能であるかどうかの判断を行った後、レンタル可能であると確認できた後に、レンタルの承認をネットワーク２を介してサーバ装置３に送信する（ステップ８）。
【００４１】
レンタルの承認を受けたサーバ装置３では、コンピュータの処理動作部からなるレンタル処理手段が、サーバ装置３に備えられていて、デンタル用機器の製造業者、輸入販売代理店等の納入者に関する情報と、当該納入者が納入可能なデンタル用機器に関する情報とが関連ずけられて登録されている納入者データベース（ＤＢ）を参照して、レンタルの承認を受けたデンタル用機器（すなわち、前記の歯科医師がレンタルを希望しているデンタル用機器）を納入する納入者の納入者端末５へ、ネットワーク２を介して、納入指示情報（歯科医師の氏名、住所、歯科医院名などの納入先を特定する情報、デンタル用機器のＩＤ等の納入するデンタル用機器に関する情報、納入時期、などの情報を含む）を送信し、納入の指示をする（ステップ９）。
【００４２】
納入端末５に納入指示を受けたデンタル用機器の製造業者、輸入販売代理店等の納入者は、納入指示に従って、指定された歯科医院に、指定されたデンタル用機器を準備し、指定された時期に納入する。
【００４３】
そして、デンタル用機器の納入の完了後に、その納入情報を納入者端末５からネットワーク２を介してサーバ装置３に送信し（ステップ１０）、かつレンタル端末６にも同様の納入情報を送信する（ステップ１１）。
【００４４】
納入情報を受けたサーバ装置３では、コンピュータの処理動作部からなるレンタル情報管理手段が、コンピュータプログラムの指示の下、レンタルデータベース９にレンタルに関する情報（レンタル情報）を記録し（ステップ１３）、管理する。
【００４５】
一方、納入情報の送信を受けたレンタル端末６はその情報に基づいて所定の課金処理を行う（ステップ１２）。
【００４６】
以上のように、本発明のデンタル用機器のレンタルシステム１を用いることにより、歯科医師は、煩雑な事務手続を行うことなしに、しかも、簡単にレンタルに当たって必ず行われる与信を得て、必要なデンタル用機器のレンタルを受けることができる。
【００４７】
また、レンタルされたデンタル用機器の保守点検も、レンタルデータベース９に記録されている次回点検日等の保守情報に基づいて適切に指示を送信して実行することもできる。
【００４８】
更に、デンタル用機器に、納入後に不具合が生じた場合にも、サーバ装置３で図６のような処理手順を実行することで、適切な保守、点検を行うことができる。
【００４９】
図６を参照して説明すると、歯科医院に納入後、デンタル用機器の不具合が生じた場合には、当該歯科医院を担当していた営業員などのデンタル用機器導入端末４からネットワーク２を介してサーバ装置３に機器情報が送信される（ステップ１４）。なお、この機器情報は、当該歯科医院の歯科医師が所有するパーソナルコンピュータなどからネットワーク２を介して送信することもできるし、電話などによって伝えることもできる。
【００５０】
不具合に係る機器情報の送信を受けたサーバ装置３においては、コンピュータの処理動作部からなる前記のレンタル情報管理手段が、コンピュータプログラムの指示の下、レンタルデータベース９にアクセスして、不具合の生じたデンタル用機器が、現在レンタルされているか否かを確認する（ステップ１５）。当該デンタル用機器がレンタルされていない場合には、この処理を終了する（ステップ１６）。
【００５１】
不具合の生じたデンタル用機器が現在レンタル中であることが確認された場合には、コンピュータの処理動作部からなる前記のレンタル情報管理手段が、コンピュータプログラムの指示の下、レンタルデータベース９、納入者データベースを参照して、当該不具合の生じたデンタル用機器を納入した納入者の納入者端末５へ、ネットワーク２を介してメンテナンス指示を送信する（ステップ１７）。
【００５２】
納入者端末５にメンテナンス指示を受けた製造業者、輸入販売代理店等の納入者は、メンテナンス指示に従い、不具合の生じたデンタル用機器が納入されている歯科医院へ出張などし、必要な保守点検を行う（ステップ１８）。そして、必要な保守点検を終了したならば、納入者端末５からネットワーク２を介してサーバ装置３に保守点検の完了情報を送信する（ステップ１９）。
【００５３】
保守点検の完了情報の送信を受けたサーバ装置３では、前記のレンタル情報管理手段が、再びレンタルデータベース９へアクセスして、該当するデンタル用機器の点検日、次回点検日等を書き換えるなどの記録を行う（ステップ２０）。
【００５４】
以上のように処理することにより、レンタルされたデンタル用機器の保守点検を適切に実施し、適正な使用を確実に確保することができる。
【００５５】
以上、添付図面を参照して本発明の好ましい実施形態、実施例を説明したが、本発明はかかる実施例、実施形態に限定されるものではなく、特許請求の範囲の記載から把握される技術的範囲において種々の形態に変更可能である。
【図面の簡単な説明】
【００５６】
【図１】この発明のデンタル用機器のレンタルシステムの概略構成図。
【図２】この発明のデンタル用機器のレンタルシステムのサーバ装置に備えられた歯科医師データベースの一例を示す図。
【図３】この発明のデンタル用機器のレンタルシステムのサーバ装置に備えられた機器データベースの一例を示す図。
【図４】この発明のデンタル用機器のレンタルシステムのサーバ装置に備えられたレンタルデータベースの一例を示す図。
【図５】この発明のデンタル用機器のレンタルシステムに夜この発明のデンタル用機器のレンタル方法の処理手順の一例を示すフローチャート。
【図６】この発明のデンタル用機器のレンタルシステムに夜この発明のデンタル用機器のレンタル方法において、デンタル用機器に不具合が生じた際の処理手順の一例を示すフローチャート。
【符号の説明】
【００５７】
１          デンタル用機器のレンタルシステム
２          ネットワーク
３          サーバ装置
４          デンタル用機器導入端末
５          納入者端末
６          レンタル端末
７          歯科医師データベース
８          機器データベース
９          レンタルデータベース
【図１】
2007115064.tif 000003
【図２】
2007115064.tif 000004
【図３】
2007115064.tif 000005
【図４】
2007115064.tif 000006
【図５】
2007115064.tif 000007
【図６】
2007115064.tif 000008